(57)【要約】【課題】ベース部に対する意匠上の制約を少なくすることできるスタンド、およびテレビジョン装置を提供する。【解決手段】表示装置２を保持するために用いられるスタンド１である。スタンドは、ベース部１０と、ベース部に対して回動するとともに、表示装置を保持するサポート部２０とを備える。サポート部が、表示装置の表示画面を回動させるための駆動ユニット３０を有し、駆動ユニットが、表示装置の表示画面の背面側に設けられている。好ましくは、駆動ユニットが電動モータを有し、電動モータの駆動によって表示装置の表示画面を回動させる。【選択図】図１
2017194664.tif 000002
【特許請求の範囲】
【請求項１】
表示装置を保持するために用いられるスタンドであって、
該スタンドは、ベース部と、該ベース部に対して回動するとともに、前記表示装置を保持するサポート部とを備え、
該サポート部が、前記表示装置の表示画面を回動させるための駆動ユニットを有し、
該駆動ユニットが、前記表示装置の表示画面の背面側に設けられていることを特徴とするスタンド。
【請求項２】
前記駆動ユニットが電動モータを有し、該電動モータの駆動によって前記表示装置の表示画面を回動させることを特徴とする請求項１に記載のスタンド。
【請求項３】
前記駆動ユニットが、駆動軸と、該駆動軸とともに回動する可動ギアを有し、
前記ベース部が、前記表示装置を回動支持する回動支持部材と、前記可動ギアに噛合する固定ギアとを有し、
前記可動ギアが前記回動支持部材と前記固定ギアとの間に配置されることを特徴とする請求項１または２に記載のスタンド。
【請求項４】
前記可動ギアは、前記駆動ユニットから下方に延びた前記駆動軸の下端に設けられ、該可動ギアの少なくとも下端側が、前記駆動軸の回転軸線を通る断面で見て円弧状に形成されていることを特徴とする請求項３に記載のスタンド。
【請求項５】
前記駆動ユニットが、駆動軸と、該駆動軸とともに回動する可動ギアを有し、
前記ベース部が、前記表示装置を回動支持する回動支持部材と、前記可動ギアに噛合する固定ギアとを有し、
前記固定ギアが前記回動支持部材と前記可動ギアとの間に配置されることを特徴とする請求項１または２に記載のスタンド。
【請求項６】
前記可動ギアは、前記駆動ユニットから下方に延びた前記駆動軸の下端に設けられ、該可動ギアの少なくとも上端側が、前記駆動軸の回転軸線を通る断面で見て円弧状に形成されていることを特徴とする請求項５に記載のスタンド。
【請求項７】
前記駆動ユニットが、駆動軸と、該駆動軸とともに回動する可動ギアと、前記駆動軸を配置させ、前記表示装置の表示画面を回動させるために回動可能に構成されたユニットベースとを有し、
前記ベース部が、前記可動ギアに噛合する固定ギアと、前記可動ギアおよび前記固定ギアを収容する防塵ボックスとを有しており、
前記ユニットベースの回動にそれぞれ連動可能な２つのスライドカバーをさらに有し、
一方の前記スライドカバーが前記ユニットベースの回動に連動して前記防塵ボックスを覆う際に、他方の前記スライドカバーは、前記ユニットベースの回動に連動せずに、前記防塵ボックスを覆うことを特徴とする請求項１から６のいずれか一項に記載のスタンド。
【請求項８】
請求項１から７のいずれか一項に記載のスタンドを備えたことを特徴とするテレビジョン装置。
【発明の詳細な説明】
【技術分野】
【０００１】
本発明は、スタンド、およびテレビジョン装置に関し、詳細には、表示装置を保持するために用いられるスタンド、およびテレビジョン装置に関する。
【背景技術】
【０００２】
この種のスタンドは、テレビやモニターなどの薄型の表示装置の例えば下部に取り付けられ、表示装置を保持する。
また、表示装置には、表示画面を視聴者に正対させるために、表示画面の向きを例えば左右に動かす機能（スイベル機能ともいう）が、その表示画面の大小に関わらず求められており、このスイベル機能の有無が需要者の購買判断に大きく影響するともいわれている。例えば、特許文献１，２には、スイベル機能を設けたスタンドの技術が開示されている。
【先行技術文献】
【特許文献】
【０００３】
【特許文献１】特開２０１０−２４３８７１号公報
【特許文献２】特許第５１２８９９４号
【発明の概要】
【発明が解決しようとする課題】
【０００４】
しかしながら、上記特許文献１，２に記載のスタンドは、表示装置の表示画面を回動させるための、モータ等を有する駆動ユニットが可動しないベース部に設けられている。このため、ベース部に対して表示画面の位置が高くなることがあり、また、ベース部に対する意匠上の制約が多くなるという問題がある。
【０００５】
本発明は、上述のような実情に鑑みてなされたもので、ベース部に対する意匠上の制約を少なくすることできるスタンド、およびテレビジョン装置を提供することを目的とする。
【課題を解決するための手段】
【０００６】
上記課題を解決するために、本発明の第１の技術手段は、表示装置を保持するために用いられるスタンドであって、該スタンドは、ベース部と、該ベース部に対して回動するとともに、前記表示装置を保持するサポート部とを備え、該サポート部が、前記表示装置の表示画面を回動させるための駆動ユニットを有し、該駆動ユニットが、前記表示装置の表示画面の背面側に設けられていることを特徴としたものである。
【０００７】
第２の技術手段は、第１の技術手段において、前記駆動ユニットが電動モータを有し、該電動モータの駆動によって前記表示装置の表示画面を回動させることを特徴としたものである。
【０００８】
第３の技術手段は、第１または第２の技術手段において、前記駆動ユニットが、駆動軸と、該駆動軸とともに回動する可動ギアを有し、前記ベース部が、前記表示装置を回動支持する回動支持部材と、前記可動ギアに噛合する固定ギアとを有し、前記可動ギアが前記回動支持部材と前記固定ギアとの間に配置されることを特徴としたものである。
【０００９】
第４の技術手段は、第３の技術手段において、前記可動ギアは、前記駆動ユニットから下方に延びた前記駆動軸の下端に設けられ、該可動ギアの少なくとも下端側が、前記駆動軸の回転軸線を通る断面で見て円弧状に形成されていることを特徴としたものである。
【００１０】
第５の技術手段は、第１または第２の技術手段において、前記駆動ユニットが、駆動軸と、該駆動軸とともに回動する可動ギアを有し、前記ベース部が、前記表示装置を回動支持する回動支持部材と、前記可動ギアに噛合する固定ギアとを有し、前記固定ギアが前記回動支持部材と前記可動ギアとの間に配置されることを特徴としたものである。
【００１１】
第６の技術手段は、第５の技術手段において、前記可動ギアは、前記駆動ユニットから下方に延びた前記駆動軸の下端に設けられ、該可動ギアの少なくとも上端側が、前記駆動軸の回転軸線を通る断面で見て円弧状に形成されていることを特徴としたものである。
【００１２】
第７の技術手段は、第１から第６のいずれか１の技術手段において、前記駆動ユニットが、駆動軸と、該駆動軸とともに回動する可動ギアと、前記駆動軸を配置させ、前記表示装置の表示画面を回動させるために回動可能に構成されたユニットベースとを有し、前記ベース部が、前記可動ギアに噛合する固定ギアと、前記可動ギアおよび前記固定ギアを収容する防塵ボックスとを有しており、前記ユニットベースの回動にそれぞれ連動可能な２つのスライドカバーをさらに有し、一方の前記スライドカバーが前記ユニットベースの回動に連動して前記防塵ボックスを覆う際に、他方の前記スライドカバーは、前記ユニットベースの回動に連動せずに、前記防塵ボックスを覆うことを特徴としたものである。
【００１３】
第８の技術手段は、第１から第７のいずれか１の技術手段を備えたテレビジョン装置であることを特徴としたものである。
【発明の効果】
【００１４】
本発明によれば、駆動ユニットをサポート部に設けたため、ベース部に対する意匠上の制約を少なくすることできる。また、駆動ユニットを表示装置の背面側に設ければ、駆動ユニットが表示装置の正面側からは見えにくくなることから、設計を含むデザイン性の高いスタンド付きの表示装置の提供に貢献する。
【図面の簡単な説明】
【００１５】
【図１】本発明の一実施形態のスタンドを設置した表示装置の斜視図である。
【図２】スタンドの分解斜視図である。
【図３】（Ａ）は駆動ユニットの斜視図、（Ｂ）は駆動ユニットの平面図である。
【図４】スタンドの部分断面図である。
【図５】スタンドの動作を説明するための図である。
【図６】スタンドの他の実施形態を説明する図である。
【図７】実施形態４におけるサポート部およびベース部の外観斜視図である。
【図８】サポート部およびベース部の分解斜視図である。
【図９】第１，２スライドカバーの外観斜視図である。
【図１０】サポート部の背面図である。
【図１１】スタンドの動作を説明するための図である。
【発明を実施するための形態】
【００１６】
（実施形態１）
図１は、本発明の一実施形態のスタンドを設置した表示装置の斜視図である。本実施形態のスタンド１は１本脚構造であり、表示装置（例えば薄型のテレビ）２の中央（パネルセンタともいう）の下部に取り付けられている。なお、図１では表示装置２を左斜め後方から見ており、表示装置２の背面３には例えば放熱用の穴４が複数設けられている。
【００１７】
表示装置２は、スタンド１のスイベル機構によって水平方向に回動することにより、表示画面の向きを変更することができる。スタンド１の構成と動作を以下に詳細に説明する。
【００１８】
図２は、スタンドの分解斜視図である。スタンド１は、ベース部（スタンドベースともいう）１０と、サポート部（スタンドサポートともいう）２０とからなる。ベース部１０やサポート部２０は例えば樹脂製である。
ベース部１０は、上記パネルセンタに相当する位置に回動支持部材１１を有し、表示装置の正面側、つまり、回動支持部材１１の前方は例えば開口されて枠状に形成され、回動支持部材１１の後方は閉塞されて板状に形成されている。
【００１９】
回動支持部材１１は、例えば円筒状の金属製であり、例えばベース部１０に対して回転できる。なお、図示の回動支持部材１１は、ベース部１０に対して直立して設けられているが、ベース部１０に対して傾斜して設けられていてもよい。また、回動支持部材１１は、表示装置を回動支持可能であれば、固定軸であってもよいし、回動軸を支持する部材であってもよい。
また、ベース部１０は、回動支持部材１１の後方に後述の固定ギア１２を有している。固定ギア１２は、例えば炭素鋼製であり、回動支持部材１１に対向する面に歯形が形成されている。また、固定ギア１２はベース部１０に例えばネジで固定される。
【００２０】
サポート部２０は、例えば細長い板状に形成され、回動支持部材１１と一体的に回転できる。サポート部２０には、例えば、回動支持部材１１の回動中心に対してベース部１０の奥行き方向（表示装置の前後方向）で見たやや前寄りに、図４に示すような支持台２１が設置され、表示装置２を保持可能に構成されている。
また、サポート部２０は駆動ユニット３０を有している。詳しくは、駆動ユニット３０は、支持台２１の後方に配置されており、設置板２２を介してサポート部２０に例えばネジで固定されている。
【００２１】
このように、駆動ユニット３０を、ベース部１０ではなく、サポート部２０に設けたため、ベース部１０に対する意匠上の制約を少なくすることできる。また、駆動ユニット３０を表示装置の背面側に設ければ、駆動ユニット３０が表示装置の正面側からは見えにくくなることから、設計を含むデザイン性の高いスタンド付きの表示装置の提供に貢献する。
【００２２】
図３（Ａ）は駆動ユニットの斜視図、図３（Ｂ）は駆動ユニットの平面図である。また、図４は、スタンドの部分断面図である。
なお、図３（Ａ）は駆動ユニットを表示装置の正面側から見た図であり、図３（Ｂ）では図示の下側が表示装置の正面側に相当する。この図３（Ｂ）では、駆動ユニットの内部構造を説明するために、後述のユニットカバー３２を省略している。また、図４では、ベース部１０の固定ギア１２や駆動ユニット３０を断面で示している。
【００２３】
図３（Ａ）に示すように、駆動ユニット３０は、カップ状のユニットベース３１を有し、後述の電動モータ３３、歯車列や駆動軸３９を収納し、板状のユニットカバー３２で覆われている。なお、ユニットベース３１やユニットカバー３２は例えばアルミニウム製である。また、図示のユニットベース３１は設置板２２と一体形成されているが、別個に形成してもよい。
【００２４】
図３（Ｂ）に示すように、電動モータ３３は、例えばアルミニウム製のモータホルダ３３ａを介してユニットベース３１に例えばネジで固定されている。電動モータ３３は、その回転量・回転方向・回転速度が制御可能な例えばＡＣサーボモータなどであり、制御部（図示省略）からの駆動信号に基づいて、電動モータ３３の回転軸に設置された例えば樹脂製のウオームギア３４を正逆転可能である。
【００２５】
電動モータ３３の近傍には、例えば炭素鋼製の第１ギア３５が設けられている。第１ギア３５は、ウオームギア３４に噛み合う第１大径ギア３５ａ、および、第１大径ギア３５ａの上側で一体形成された第１小径ギア３５ｂで構成され、ユニットベース３１やユニットカバー３２に対して回転自在に支持される。
第１ギア３５の近傍には、例えば炭素鋼製の第２ギア３６が設けられている。第２ギア３６は、第１小径ギア３５ｂに噛み合う第２大径ギア３６ａ、および、図４に示すような第２大径ギア３６ａの下側で一体形成された第２小径ギア３６ｂで構成され、ユニットベース３１などに対して回転自在に支持されている。
【００２６】
駆動軸３９は、例えば炭素鋼で形成され、第２ギア３６の近傍に設けられている。具体的には、駆動軸３９は、図４に示すように、ユニットカバー３２の上方に突出するとともに、ユニットベース３１の下方にも突出しており、軸受４０，４１を介してユニットベース３１などに対して回転自在に支持されている。
なお、軸受４０は、ユニットカバー３２に設置された例えばアルミニウム製の軸受ホルダ４２で保持され、例えば炭素鋼製のカラー４３で固定されている。また、軸受４１は、ユニットベース３１に設置されている。
【００２７】
また、駆動軸３９には、例えば炭素鋼製の第３ギア３７や同じく例えば炭素鋼製の可動ギア３８が設けられており、第３ギア３７や可動ギア３８は、駆動軸３９と一体的に回転できる。
第３ギア３７は、ユニットベース３１に収納され、図４で説明した第２小径ギア３６ｂに噛み合っている。
【００２８】
一方、可動ギア３８は、第３ギア３７と同心で駆動軸３９に設けられているが、駆動軸３９の下端に設けられており、ユニットベース３１の下方、つまり、駆動ユニット３０の外部で、ベース部１０の固定ギア１２に噛み合っている。
そして、図４に示すように、可動ギア３８は、回動支持部材１１と固定ギア１２との間に配置されている。
【００２９】
このように、可動ギア３８を回動支持部材１１と固定ギア１２との間に配置すれば、固定ギアを回動支持部材と可動ギアとの間に配置した場合に比べて、ベース部１０の奥行きに要するスペースを小さくすることができる。
また、可動ギア３８は、その下端側が、図４に示すような駆動軸３９の回転軸線を通る断面で見て円弧状（面取り部Ｒ１ともいう）に形成されている。
【００３０】
上記のように、例えば、支持台２１を回動支持部材１１の回動中心よりも前寄りに配置したため、表示装置は前方へ傾きやすくなる。しかし、可動ギア３８の下端側を円弧状に形成すれば、表示装置の前方への傾斜とともに、駆動軸３９の上端も前方へ傾斜しても、可動ギア３８と固定ギア１２との滑らかな噛合を維持できるので、スイベル機能の信頼性を高めることができる。
【００３１】
図５は、スタンドの動作を説明するための図である。なお、図５では、ベース部１０の固定ギア１２と駆動ユニット３０の可動ギア３８との関係を説明するために、表示装置などを省略している。
例えば図５（Ａ）に示すように、可動ギア３８は固定ギア１２のほぼ中央に位置しており、表示装置の表示画面は真正面を向く。
【００３２】
そして、図３（Ｂ）で説明した電動モータ３３の駆動に伴って第１ギア３５、第２ギア３６、第３ギア３７の順に回転し、駆動軸３９が平面視で例えば反時計回りに回転すると、図５（Ｂ）に示すように、可動ギア３８は固定ギア１２の歯形の形成範囲で回動し、サポート部２０の一端（図５（Ｂ）で見たサポート部２０の右端）が前方に向けて移動するので、表示画面の向きが左向きに変更される。
【００３３】
このように電動スイベル機能が実現されると、例えばＩｏＴ（Internet of Things）などの普及により、表示装置の表示画面を遠隔操作で回動させることも可能になる。
【００３４】
（実施形態２）
図６は、スタンドの他の実施形態を説明する図である。この図６でも、図４と同様に、ベース部１０の固定ギア１２と駆動ユニット３０を断面で示している。
この実施形態２でも上記実施形態１と同様に、ベース部１０が、回動支持部材１１の後方に固定ギア１２を有しているが、実施形態２で説明する固定ギア１２は、図６に示すように、回動支持部材１１と駆動ユニット３０の可動ギア３８との間に配置されている。
【００３５】
このように、固定ギア１２を回動支持部材１１と可動ギア３８との間に配置すれば、可動ギアを回動支持部材と固定ギアとの間に配置した場合に比べて、ベース部１０の奥行きで見て表示装置の背面から駆動ユニットまでの距離が長くなるので、表示装置の安定性が向上する。
この場合、可動ギア３８は、その上端側が、図６に示すような駆動軸３９の回転軸線を通る断面で見て円弧状（面取り部Ｒ２ともいう）に形成されている。
【００３６】
この結果、表示装置が前方へ傾きやすくなったとしても、可動ギア３８の上端側を円弧状に形成すれば、可動ギア３８と固定ギア１２との滑らかな噛合を維持でき、スイベル機能の信頼性の高めることができる。
【００３７】
（実施形態３）
上記実施形態１では、可動ギア３８の下端側を円弧状に形成し、上記実施形態２では、可動ギア３８の上端側を円弧状に形成した例を挙げて説明したが、可動ギアは、その上端側および下端側の双方を側面視で円弧状に形成することも可能である。
【００３８】
（実施形態４）
ところで、防塵構造のスタンドであってもよい。図７は、実施形態４におけるサポート部およびベース部の外観斜視図であり、図８は、サポート部およびベース部の分解斜視図である。また、図９は、第１スライドカバーおよび第２スライドカバーの外観斜視図であり、図１０は、サポート部の背面図である。
【００３９】
図７（Ａ）はサポート部２０やベース部１０を左斜め後方から見ており、ベース部１０は図８に示す可動ギア３８、固定ギア１２や位置検出板１４を収納可能な防塵ボックス１３を有し、防塵ボックス１３は図２で説明した回動支持部材１１の後方に配置される。図８に示すように、防塵ボックス１３は、例えばカップ状で形成され、上方に可動ギア３８や固定ギア１２を受容する上方開口１３ｃを有し、その周囲に側面１３ｂが立設されている。側面１３ｂの下端には、固定ギア１２の脚部１２ａを挿通可能な下面１３ａが設けられている。
【００４０】
固定ギア１２は脚部１２ａの上方に台状部１２ｂを有し、台状部１２ｂの側面には、可動ギア３８に噛み合う歯形が形成されている。台状部１２ｂの上面には位置検出板１４が設置される。位置検出板１４には、例えば中央位置、左１５°の位置、右１５°の位置に相当する位置に、白色や銀色のマークが設けられている。
【００４１】
サポート部２０の駆動ユニット３０は、平板状のユニットベース３１を有している。ユニットベース３１は、図７（Ｂ）に示した下面４７が回転支持部材１１の上面に例えば直に連結されており、回転支持部材１１と一体的に回転できる。一方、ユニットベース３１の上面４５には、図４で説明した支持台２１を固定できる。
図７（Ａ），（Ｂ）や図１０に示すように、ユニットベース３１には、上面４５と下面４７を貫通して設けられた曲線状のスライドカバー用の開口４６が設けられ、図８や図９に示す第１スライドカバー６０の上向き突起６４、第２スライドカバー７０の上向き突起７４を例えば下方から受け入れ可能である。
【００４２】
図１０に示すように、ユニットベース３１は、スライドカバー用の開口４６の後側に、矩形状のフォトセンサ用の開口４７ａを有している。この開口４７ａも上面４５と下面４７を貫通して形成されている。また、フォトセンサ用の開口４７ａの左右両側には、ハーフパンチ部４８、４９が設けられる。ハーフパンチ部４８は、図１０で見てフォトセンサ用の開口４７ａの右側に位置し、ユニットベース３１の下面４７から下方に向けて突出しており、第１スライドカバー６０の開口６３の端部に当接可能である。ハーフパンチ部４９は、図１０で見てフォトセンサ用の開口４７ａの左側に位置し、ユニットベース３１の下面４７から下方に向けて突出し、第２スライドカバー７０の開口７３の端部に当接可能である。
【００４３】
図８に示すように、駆動軸３９は電動モータ３３に対して回転自在に支持されている。駆動軸３９の下端には可動ギア３８が設けられ、ユニットベース３１の下方で固定ギア１２に噛み合っている。電動モータ３３は、略筒状のばねガイドリング５０を用いてユニットベース３１の上面４５に固定される。
ばねガイドリング５０は、内面で電動モータ３３を案内し、外面で引張りばね５５を案内する案内部５３を有し、案内部５３の中央には、駆動軸３９を挿通させる中央孔（図示省略）が形成されている。案内部５３の前側には、ユニットベース３１の上面４５に例えばネジで固定するための固定部５２が設けられ、案内部５３の後側には、プリント基板５６を下方に押える押圧部５４が設けられている。
【００４４】
引張りばね５５は、２分割された第１，２スライドカバー６０，７０の位置を戻すためのものであり、引張りばね５５の一端は第１スライドカバー６０の上向き突起６４に、他端は第２スライドカバー７０の上向き突起７４にそれぞれ取り付けられる。
プリント基板５６は、裏面の中央にフォトセンサ５７を設置し、ばねガイドリング５０の押圧部５４に上方から押さえられて、ユニットベース３１の上面４５に固定される。
【００４５】
フォトセンサ５７は下方に位置する位置検出板１４に向けて光を照射でき、位置検出板１４の白色や銀色の各マークで反射した光をフォトセンサ５７で検出することにより、駆動ユニット３０の回動位置を得ることができる。
第１スライドカバー６０は平面視で左側に、第２スライドカバー７０は平面視で右側にそれぞれ配置され、ユニットベース３１の回動にそれぞれ連動可能である。
【００４６】
図９（Ａ）に示すように、第１スライドカバー６０は、図８で説明した防塵ボックス１３の上方開口１３ｃに覆い被さる水平面部６１を有し、上向き突起６４は水平面部６１の上面から上方に向けて突出し、引張りばね５５の端部を保持できる。上向き突起６４の前側には、駆動軸３９を受容するための駆動軸用の開口６２が曲線状で設けられ、上向き突起６４の後側には、フォトセンサ５７を受容するためのフォトセンサ用の開口６３が曲線状で設けられている。
【００４７】
第１スライドカバー６０はユニットベース３１の下方に配置され、上向き突起６４を、ユニットベース３１の下方からスライドカバー用の開口４６に遊嵌させて、ユニットベース３１の上方に突出させる。
また、図９（Ｂ）に示すように、第１スライドカバー６０はＬ字状の下向き突片６５を有している。下向き突片６５は、水平面部６１の前端から側端にかけて形成され、水平面部６１から下方に突出しており、図７（Ｂ）に示したように、防塵ボックス１３の側面１３ｂに接触可能に形成されている。
【００４８】
第２スライドカバー７０も、第１スライドカバー６０と同様に、防塵ボックス１３の上方開口１３ｃに覆い被さる水平面部７１を有する。上向き突起７４は水平面部７１の上面から上方に向けて突出している。上向き突起７４の前側には、駆動軸３９を通すための駆動軸用の開口７２が曲線状で設けられ、上向き突起７４の後側には、フォトセンサ５７を受容するためのフォトセンサ用の開口７３が曲線状で設けられている。第２スライドカバー７０もユニットベース３１の下方に配置され、上向き突起７４はスライドカバー用の開口４６に遊嵌する。
【００４９】
また、図９（Ｂ）に示すように、第２スライドカバー７０も、水平面部７１の前端から側端にかけて形成されたＬ字状の下向き突片７５を有し、防塵ボックス１３の側面１３ｂに接触可能である。
【００５０】
図１１は、スタンドの動作を説明するための図である。なお、図１１では、ユニットベース３１と第１，２スライドカバー６０，７０との関係を説明するために、表示装置や防塵ボックス１３、引張りばね５５などを省略している。
可動ギア３８が固定ギア１２のほぼ中央に位置し、表示装置の表示画面が真正面を向いていた状態において、電動モータ３３の駆動に伴って駆動軸３９が平面視で例えば時計回りに回転し始めると、ユニットベース３１の一端（図１１（Ａ）で見たユニットベース３１の左端）が前方に向けて移動（回動）を開始する。
【００５１】
ユニットベース３１の一端が回動を開始した後、図１１（Ｂ）に示すように、ユニットベース３１のハーフパンチ部４８が第１スライドカバー６０のフォトセンサ用の開口６３の端部に接触すると、第１スライドカバー６０の下向き突片６５と防塵ボックス１３の側面１３ｂとの接触が解かれる。そして、第１スライドカバー６０は、引張りばね５５の付勢力に抗して、防塵ボックス１３の上方開口１３ｃを覆いつつ、ユニットベース３１と共に回動を開始する。
【００５２】
一方、第１スライドカバー６０がユニットベース３１の回動に連動して防塵ボックス１３の上方開口１３ｃを覆う際に、第２スライドカバー７０の下向き突片７５と防塵ボックス１３の側面１３ｂとの接触は解かれないため、図１１（Ｂ）に示すように第１スライドカバー６０がユニットベース３１と共に回動しても、第２スライドカバー７０は、回動せずに、防塵ボックス１３の上方開口１３ｃを覆い続ける。
そして、駆動軸３９が平面視で例えば時計回りに回転すると、図１１（Ａ）に示すように、ユニットベース３１の左端が回動するので、表示画面の向きが左向きに変更される。
【００５３】
その後、フォトセンサ５７の検出結果に基づき、駆動軸３９が平面視で例えば反時計回りに回転した場合、ユニットベース３１の一端（図１１（Ａ）で見たユニットベース３１の右端）が前方に向けて移動（回動）を開始する。
ユニットベース３１の一端が回動を開始した後、ハーフパンチ部４８とフォトセンサ用の開口６３の端部との接触が解かれると、第１スライドカバー６０は、引張りばね５５の付勢力によって、防塵ボックス１３の上方開口１３ｃを覆いつつ、下向き突片６５が防塵ボックス１３の側面１３ｂに接触するまで、第２スライドカバー７０に向けて移動する。
【００５４】
これに対して図示は省略するが、可動ギア３８が固定ギア１２のほぼ中央に位置し、表示装置の表示画面が真正面を向いていた状態において、電動モータ３３の駆動に伴って駆動軸３９が平面視で例えば反時計回りに回転し始めると、ユニットベース３１の一端（図１１（Ａ）で見たユニットベース３１の右端）が前方に向けて移動（回動）を開始する。
ユニットベース３１の一端が回動を開始した後、ユニットベース３１のハーフパンチ部４９が第２スライドカバー７０のフォトセンサ用の開口７３の端部に接触すると、第２スライドカバー７０の下向き突片７５と防塵ボックス１３の側面１３ｂとの接触が解かれる。そして、第２スライドカバー７０は、引張りばね５５の付勢力に抗して、防塵ボックス１３の上方開口１３ｃを覆いつつ、ユニットベース３１と共に回動を開始する。
【００５５】
一方、第２スライドカバー７０がユニットベース３１の回動に連動して防塵ボックス１３の上方開口１３ｃを覆う際に、第１スライドカバー６０の下向き突片６５と防塵ボックス１３の側面１３ｂとの接触は解かれないため、第２スライドカバー７０がユニットベース３１と共に回動しても、第１スライドカバー６０は、回動せずに、防塵ボックス１３の上方開口１３ｃを覆い続ける。
そして、駆動軸３９が平面視で例えば反時計回りに回転すると、ユニットベース３１の右端が回動するので、表示画面の向きが右向きに変更される。
【００５６】
その後、フォトセンサ５７の検出結果に基づき、駆動軸３９が平面視で例えば時計回りに回転した場合、ユニットベース３１の一端（図１１（Ａ）で見たユニットベース３１の左端）が前方に向けて移動（回動）を開始する。
ユニットベース３１の一端が回動を開始した後、ハーフパンチ部４９とフォトセンサ用の開口７３の端部との接触が解かれると、第２スライドカバー７０は、引張りばね５５の付勢力によって、防塵ボックス１３の上方開口１３ｃを覆いつつ、下向き突片７５が防塵ボックス１３の側面１３ｂに接触するまで、第１スライドカバー６０に向けて移動する。
【００５７】
このように、ユニットベース３１には、防塵ボックス１３の上方開口１３ｃを覆う第１，２スライドカバー６０，７０が設置されているので、防塵ボックス１３内への塵埃の侵入を防止することができる。
また、図１１に示した動作で説明すれば、ユニットベース３１の回動に遅れて連動する第１スライドカバー６０と、ユニットベース３１の回動に連動しない第２スライドカバー７０とに分割されていることから、第１，２スライドカバー６０，７０を一体形成した場合に比べてユニットベース３１の幅（左右方向の長さ）を短くすることができ、駆動ユニット３０の小型化を達成することができる。
【符号の説明】
【００５８】
１…スタンド、２…表示装置、３…背面、４…穴、１０…ベース部、１１…回動支持部材、１２…固定ギア、１２ａ…脚部、１２ｂ…台状部、１３…防塵ボックス、１３ａ…下面、１３ｂ…側面、１３ｃ…上方開口、１４…位置検出板、２０…サポート部、２１…支持台、２２…設置板、３０…駆動ユニット、３１…ユニットベース、３２…ユニットカバー、３３…電動モータ、３３ａ…モータホルダ、３４…ウオームギア、３５…第１ギア、３５ａ…第１大径ギア、３５ｂ…第１小径ギア、３６…第２ギア、３６ａ…第２大径ギア、３６ｂ…第２小径ギア、３７…第３ギア、３８…可動ギア、３９…駆動軸、４０，４１…軸受、４２…軸受ホルダ、４３…カラー、４５…上面、４６…スライドカバー用の開口、４７…下面、４７ａ…フォトセンサ用の開口、４８，４９…ハーフパンチ部、５０…ばねガイドリング、５２…固定部、５３…案内部、５４…押圧部、５５…引張りばね、５６…プリント基板、５７…フォトセンサ、６０…第１スライドカバー、６１，７１…水平面部、６２，７２…駆動軸用の開口、６３，７３…フォトセンサ用の開口、６４，７４…上向き突起、６５，７５…下向き突片、７０…第２スライドカバー。
【図１】
2017194664.tif 000003
【図２】
2017194664.tif 000004
【図３】
2017194664.tif 000005
【図４】
2017194664.tif 000006
【図５】
2017194664.tif 000007
【図６】
2017194664.tif 000008
【図７】
2017194664.tif 000009
【図８】
2017194664.tif 000010
【図９】
2017194664.tif 000011
【図１０】
2017194664.tif 000012
【図１１】
2017194664.tif 000013
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
表示装置を保持するために用いられるスタンドであって、
該スタンドは、ベース部と、該ベース部に対して回動するとともに、前記表示装置を保持するサポート部とを備え、
該サポート部が、前記表示装置の表示画面を回動させるための駆動ユニットを有し、
該駆動ユニットが、前記表示装置の表示画面の背面側に設けられ、駆動軸と、該駆動軸とともに回動する可動ギアを有し、
前記ベース部が、前記表示装置を回動支持する回動支持部材と、前記可動ギアに噛合する固定ギアとを有し、
前記可動ギアが前記回動支持部材と前記固定ギアとの間に配置され、
前記可動ギアは、前記駆動ユニットから下方に延びた前記駆動軸の下端に設けられ、該可動ギアの少なくとも下端側が、前記駆動軸の回転軸線を通る断面で見て円弧状に形成されていることを特徴とするスタンド。
【請求項２】
表示装置を保持するために用いられるスタンドであって、
該スタンドは、ベース部と、該ベース部に対して回動するとともに、前記表示装置を保持するサポート部とを備え、
該サポート部が、前記表示装置の表示画面を回動させるための駆動ユニットを有し、
該駆動ユニットが、前記表示装置の表示画面の背面側に設けられ、駆動軸と、該駆動軸とともに回動する可動ギアを有し、
前記ベース部が、前記表示装置を回動支持する回動支持部材と、前記可動ギアに噛合する固定ギアとを有し、
前記固定ギアが前記回動支持部材と前記可動ギアとの間に配置され、
前記可動ギアは、前記駆動ユニットから下方に延びた前記駆動軸の下端に設けられ、該可動ギアの少なくとも上端側が、前記駆動軸の回転軸線を通る断面で見て円弧状に形成されていることを特徴とするスタンド。
【請求項３】
表示装置を保持するために用いられるスタンドであって、
該スタンドは、ベース部と、該ベース部に対して回動するとともに、前記表示装置を保持するサポート部とを備え、
該サポート部が、前記表示装置の表示画面を回動させるための駆動ユニットを有し、
該駆動ユニットが、前記表示装置の表示画面の背面側に設けられ、駆動軸と、該駆動軸とともに回動する可動ギアと、前記駆動軸を配置させ、前記表示装置の表示画面を回動させるために回動可能に構成されたユニットベースとを有し、
前記ベース部が、前記可動ギアに噛合する固定ギアと、前記可動ギアおよび前記固定ギアを収容する防塵ボックスとを有しており、
前記ユニットベースの回動にそれぞれ連動可能な２つのスライドカバーをさらに有し、
一方の前記スライドカバーが前記ユニットベースの回動に連動して前記防塵ボックスを覆う際に、他方の前記スライドカバーは、前記ユニットベースの回動に連動せずに、前記防塵ボックスを覆うことを特徴とするスタンド。
【請求項４】
前記駆動ユニットが電動モータを有し、該電動モータの駆動によって前記表示装置の表示画面を回動させることを特徴とする請求項１から３のいずれか一項に記載のスタンド。
【請求項５】
請求項１から４のいずれか一項に記載のスタンドを備えたことを特徴とするテレビジョン装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記課題を解決するために、本発明の第１の技術手段は、表示装置を保持するために用いられるスタンドであって、該スタンドは、ベース部と、該ベース部に対して回動するとともに、前記表示装置を保持するサポート部とを備え、該サポート部が、前記表示装置の表示画面を回動させるための駆動ユニットを有し、該駆動ユニットが、前記表示装置の表示画面の背面側に設けられ、駆動軸と、該駆動軸とともに回動する可動ギアを有し、前記ベース部が、前記表示装置を回動支持する回動支持部材と、前記可動ギアに噛合する固定ギアとを有し、前記可動ギアが前記回動支持部材と前記固定ギアとの間に配置され、前記可動ギアは、前記駆動ユニットから下方に延びた前記駆動軸の下端に設けられ、該可動ギアの少なくとも下端側が、前記駆動軸の回転軸線を通る断面で見て円弧状に形成されていることを特徴としたものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
第２の技術手段は、表示装置を保持するために用いられるスタンドであって、該スタンドは、ベース部と、該ベース部に対して回動するとともに、前記表示装置を保持するサポート部とを備え、該サポート部が、前記表示装置の表示画面を回動させるための駆動ユニットを有し、該駆動ユニットが、前記表示装置の表示画面の背面側に設けられ、駆動軸と、該駆動軸とともに回動する可動ギアを有し、前記ベース部が、前記表示装置を回動支持する回動支持部材と、前記可動ギアに噛合する固定ギアとを有し、前記固定ギアが前記回動支持部材と前記可動ギアとの間に配置され、前記可動ギアは、前記駆動ユニットから下方に延びた前記駆動軸の下端に設けられ、該可動ギアの少なくとも上端側が、前記駆動軸の回転軸線を通る断面で見て円弧状に形成されていることを特徴としたものである。
【手続補正８】
【補正対象書類名】明細書
【補正対象項目名】００１２
【補正方法】変更
【補正の内容】
【００１２】
第３の技術手段は、表示装置を保持するために用いられるスタンドであって、該スタンドは、ベース部と、該ベース部に対して回動するとともに、前記表示装置を保持するサポート部とを備え、該サポート部が、前記表示装置の表示画面を回動させるための駆動ユニットを有し、該駆動ユニットが、前記表示装置の表示画面の背面側に設けられ、駆動軸と、該駆動軸とともに回動する可動ギアと、前記駆動軸を配置させ、前記表示装置の表示画面を回動させるために回動可能に構成されたユニットベースとを有し、前記ベース部が、前記可動ギアに噛合する固定ギアと、前記可動ギアおよび前記固定ギアを収容する防塵ボックスとを有しており、前記ユニットベースの回動にそれぞれ連動可能な２つのスライドカバーをさらに有し、一方の前記スライドカバーが前記ユニットベースの回動に連動して前記防塵ボックスを覆う際に、他方の前記スライドカバーは、前記ユニットベースの回動に連動せずに、前記防塵ボックスを覆うことを特徴としたものである。
【手続補正９】
【補正対象書類名】明細書
【補正対象項目名】００１３
【補正方法】変更
【補正の内容】
【００１３】
第４の技術手段は、第１から第３のいずれか１の技術手段において、前記駆動ユニットが電動モータを有し、該電動モータの駆動によって前記表示装置の表示画面を回動させることを特徴としたものである。
第５の技術手段は、第１から第４のいずれか１の技術手段を備えたテレビジョン装置であることを特徴としたものである。